(57)【特許請求の範囲】
【請求項１】
圧縮機が収容された機械室と、
送風ユニットが収容された送風室と、
前記機械室と前記送風室とを仕切るセパレータと、
前記機械室に設置されたリアクターと、
前記セパレータの前記機械室側に固定され、前記リアクターが取り付けられたリアクター取付部材と、を備え、
前記リアクター取付部材は、互いに異なる大きさのリアクターのそれぞれに対応した、第１取付部と第２取付部とを含み、
前記リアクター取付部材は、前記第１取付部および前記第２取付部が形成された取付面を有し、
前記取付面は、前記セパレータとの距離が前端よりも後端の方が長くなるように傾斜しており、
前記リアクター取付部材には、前記リアクターが、前記第１取付部および前記第２取付部のうちの前記リアクターの大きさに対応した一方に、選択的に取り付けられている、
空気調和機の熱源側ユニット。
【請求項２】
圧縮機が収容された機械室と、
送風ユニットが収容された送風室と、
前記機械室と前記送風室とを仕切るセパレータと、
前記機械室に設置されたリアクターと、
前記セパレータの前記機械室側に固定され、前記リアクターが取り付けられたリアクター取付部材と、を備え、
前記リアクター取付部材は、互いに異なる大きさのリアクターのそれぞれに対応した、第１取付部と第２取付部とを含み、
前記リアクター取付部材は、前記第１取付部および前記第２取付部が形成された取付面が前方に傾斜しており、
前記リアクターは、板状の台座部を有し、
前記第１取付部および前記第２取付部は、
前記台座部の重力方向の下側を支持する支持部と、前記台座部の左右のうちの一方の位置決めを行う位置決め部とが、共通化されている、
空気調和機の熱源側ユニット。
【請求項３】
前記リアクターは、板状の台座部を有し、
前記第１取付部および前記第２取付部は、前記台座部の重力方向の下側を支持する支持部が、共通化されている、
請求項１に記載の空気調和機の熱源側ユニット。
【請求項４】
前記第１取付部は、当該第１取付部に一方の大きさのリアクターが取り付けられた状態で、前記台座部の左右の位置決めを行う一対の第１位置決め部を含み、
前記第２取付部は、前記一対の第１位置決め部の間に設けられ、当該第２取付部に他方の大きさのリアクターが取り付けられた状態で前記他方の大きさのリアクター側に突出する第２位置決め部を含んでおり、
前記第２位置決め部は、前記一方の大きさのリアクターが前記第１位置決め部に取り付けられた状態では、突出しない、
請求項２または請求項３に記載の空気調和機の熱源側ユニット。
【請求項５】
前記第１取付部は、当該第１取付部に前記一方の大きさのリアクターが取り付けられたときに、前記一方の大きさのリアクターの重力方向の上側をネジ止めするための第１ネジ止め部をさらに含み、
前記第２取付部は、当該第２取付部に前記他方の大きさのリアクターが取り付けられたときに、前記他方の大きさのリアクターの重力方向の上側をネジ止めするための第２ネジ止め部をさらに含む、
請求項２、請求項３、または請求項４に記載の空気調和機の熱源側ユニット。
【請求項６】
前記リアクターは、前記圧縮機を駆動するインバータに接続されている、
請求項１〜請求項５の何れか１項に記載の空気調和機の熱源側ユニット。
【請求項７】
前記セパレータは穴を有し、
前記リアクター取付部材は、前記穴を覆っている、
請求項１〜請求項６の何れか１項に記載の空気調和機の熱源側ユニット。
【請求項８】
前記リアクター取付部材は、前記穴の重力方向の下側で、前記セパレータ側に突出する突出部をさらに含む、
請求項７に記載の空気調和機の熱源側ユニット。
【発明の詳細な説明】
【技術分野】
【０００１】
この発明は、空気調和機の熱源側ユニットに関する。
【背景技術】
【０００２】
従来から、圧縮機が設置された機械室に、圧縮機のインバータ制御を行うためのリアクターが設置された室外機が知られている（例えば、特許文献１参照）。従来の室外機では、機械室と送風機室とを仕切る仕切り板（セパレータ）にリアクターを取り付けるためのネジ穴等が形成されており、リアクターが仕切り板に直接的に取り付けられている。
【先行技術文献】
【特許文献】
【０００３】
【特許文献１】特許第４６７５３７９号公報（第７頁、図７）
【発明の概要】
【発明が解決しようとする課題】
【０００４】
特許文献１のような従来の室外機では、リアクターが仕切り板に直接的に取り付けられる構成であり、且つ仕切り板には異なるサイズのリアクターを取り付けることができないため、室外機に搭載されるリアクターのサイズに合わせた複数の種類の仕切り板を準備している。
【０００５】
この発明は、上記のような課題を背景としてなされたものであり、セパレータ（仕切り板）に大きさが異なるリアクターを選択的に取り付けることができる空気調和機の熱源側ユニットを得ることを目的としている。
【課題を解決するための手段】
【０００６】
この発明に係る空気調和機の熱源側ユニットは、圧縮機が収容された機械室と、送風ユニットが収容された送風室と、機械室と送風室とを仕切るセパレータと、機械室に設置されたリアクターと、セパレータの機械室側に固定され、リアクターが取り付けられたリアクター取付部材と、を備え、リアクター取付部材は、互いに異なる大きさのリアクターのそれぞれに対応した、第１取付部と第２取付部とを含み、リアクター取付部材は、第１取付部および第２取付部が形成された取付面を有し、取付面は、セパレータとの距離が前端よりも後端の方が長くなるように傾斜しており、リアクター取付部材には、リアクターが、第１取付部および第２取付部のうちのリアクターの大きさに対応した一方に、選択的に取り付けられている。
【発明の効果】
【０００７】
この発明の空気調和機の熱源側ユニットによれば、セパレータに大きさが異なるリアクターを選択的に取り付けることができる。
【図面の簡単な説明】
【０００８】
【図１】この発明の実施の形態１に係る空気調和機の熱源側ユニットの分解斜視図である。
【図２】図１に記載の熱源側ユニットに搭載されるリアクターの正面図である。
【図３】図２に記載のリアクターの、図１に記載のセパレータへの取り付けについて説明する分解斜視図である。
【図４】図３に記載のリアクター取付部材の正面図である。
【図５】図３に記載のリアクター取付部材が取り付けられるセパレータの部分を拡大した側面図である。
【図６】図２に記載のリアクターの熱源側ユニットへの取り付けについて説明する模式図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
図１は、この発明の実施の形態１に係る空気調和機の熱源側ユニットの分解斜視図である。この実施の形態に係る空気調和機の熱源側ユニット１００（以下熱源側ユニットという）は、図示を省略してある利用側ユニットとともに、冷凍サイクルを構成するものである。熱源側ユニット１００は、例えば戸外に設置され、空調の熱を廃熱しまたは供給するものである。
【００１１】
熱源側ユニット１００は、ベース部材２、外郭パネル４、天面パネル６、側面パネル８で覆われた内側に、セパレータ２０で仕切られた送風室３０と機械室４０とを有する。送風室３０には、熱交換器１０および送風ユニット１２等が収容され、機械室４０には、圧縮機１４、電気品箱１６、冷媒配管１８およびリアクター５０等が収容されている。なお、図１では、リアクター５０については図示を省略してある。
【００１２】
熱交換器１０は、熱交換器１０内を流れる冷媒と外気との熱交換を行うものである。熱交換器１０は、Ｌ字状に曲げられた形状を有し、ベース部材２に取り付けられている。送風ユニット１２は、熱交換器１０への送風を行うものであって、ファン１２Ａおよびファン１２Ａを駆動するモータ１２Ｂを含んで構成されている。モータ１２Ｂは、熱交換器１０の前方で、熱交換器１０およびベース部材２に取り付けられたモータ支持部材１２Ｃに取り付けられている。送風ユニット１２は、熱源側ユニット１００の背面側から外気を吸い込んで、熱交換器１０を通過した空気を熱源側ユニット１００の前方に吹き出すように、空気流れを発生させる。
【００１３】
圧縮機１４は、ベース部材２に取り付けられており、吸引した冷媒を圧縮して高温高圧の状態にするものである。圧縮機１４は、例えばスクロール型圧縮機、レシプロ型圧縮機等で構成されている。圧縮機１４は、図示を省略してあるインバータで駆動され、空調状況等に応じて運転容量が制御されるようになっている。
【００１４】
電気品箱１６は、基板および電子部品等が収容された箱であって、例えば、熱源側ユニット１００に電力を供給する電源部（図示を省略）およびインバータ（図示を省略）等を含んでいる。電気品箱１６は、圧縮機１４の上方で、機械室４０の上側に設置されている。
【００１５】
図２は、図１に記載の熱源側ユニットに搭載されるリアクターの正面図であり、図３は、図２に記載のリアクターの、図１に記載のセパレータへの取り付けについて説明する分解斜視図であり、図４は、図３に記載のリアクター取付部材の正面図であり、図５は、図３に記載のリアクター取付部材が取り付けられるセパレータの部分を拡大した側面図である。図２に記載のリアクター５０は、電気品箱１６に収容されたインバータに接続され、高周波成分を除去する等の機能を有するものである。リアクター５０は、その機能を好適に発揮するように、電気品箱１６の近傍で、機械室４０に設置される。リアクター５０は、板状の台座部５２と、台座部５２の上に設置されたコイル部５４と、インバータに接続される接続端子５８とを有する。台座部５２には、他の部材への取り付けに利用される複数の貫通孔５６が形成されている。
【００１６】
図３に示すように、リアクター５０は、リアクター取付部材６０を介して、セパレータ２０の機械室４０側に取り付けられる。リアクター取付部材６０には、ネジ固定のための複数の貫通孔６８が形成されており、リアクター取付部材６０は、セパレータ２０に形成されたネジ穴（図示を省略）を利用してセパレータ２０に固定される。なお、リアクター取付部材６０は、スポット溶接等によって、セパレータ２０に固定されてもよい。リアクター５０は、セパレータ２０に固定されたリアクター取付部材６０に取り付けられる。
【００１７】
図４に示すように、リアクター取付部材６０は、支持部６２Ａ１、左側位置決め部６２Ａ２、第１右側位置決め部６２Ｂ１、第２右側位置決め部６２Ｂ２、複数のネジ穴６４、突出部６６、および貫通孔６８を有する。支持部６２Ａ１は、Ｌ字状に形成されており、リアクター５０の台座部５２の重力方向の下側を支持するものである。支持部６２Ａ１は、例えば切り起こし加工によって形成されるものであるが、Ｌ字状に形成された別部材が溶接等によって後付けされていてもよい。支持部６２Ａ１がＬ字状に形成されているため、リアクター５０が支持部６２Ａ１に載置されたときに、リアクター５０が滑り落ちないようになっている。なお、この実施の形態の例では、図２に示すように、リアクター５０の下側中央で、コイル部５４が、台座部５２から突出している。そこで、図３および図４に示すように、支持部６２Ａ１は、リアクター５０の台座部５２の下側を両側で支持するように２箇所に形成されており、リアクター５０の中央部では、コイル部５４を逃がすようになっている。
【００１８】
左側位置決め部６２Ａ２は、リアクター５０の台座部５２の左側の位置決めを行うものである。左側位置決め部６２Ａ２は、例えば切り起こし加工によって形成されるものであるが、板状または棒状の別部材が溶接等によって後付けされていてもよい。左側位置決め部６２Ａ２は、支持部６２Ａ１に溶接固定されており、支持部６２Ａ１が補強されている。第１右側位置決め部６２Ｂ１は、リアクター５０の台座部５２の右側の位置決めを行うものである。第１右側位置決め部６２Ｂ１は、例えば切り起こし加工によって形成されるものであるが、板状または棒状の別部材が溶接等によって後付けされていてもよい。第１右側位置決め部６２Ｂ１は、支持部６２Ａ１に溶接固定されており、支持部６２Ａ１が補強されている。左側位置決め部６２Ａ２と第１右側位置決め部６２Ｂ１とは、リアクター５０の左右の位置決めを行う本発明の「一対の第１位置決め部」に相当している。
【００１９】
第２右側位置決め部６２Ｂ２は、本発明の「第２位置決め部」に相当するものであり、リアクター５０とは異なる大きさの「他方の大きさのリアクター」（図示を省略）の台座部の右側の位置決めを行うものである。なお、リアクター５０は、本発明の「一方の大きさのリアクター」に相当するものである。第２右側位置決め部６２Ｂ２は、左側位置決め部６２Ａ２と第１右側位置決め部６２Ｂ１との間で、他方の大きさのリアクター側に突出させることができるように形成されている。第２右側位置決め部６２Ｂ２は、他方の大きさのリアクターがリアクター取付部材６０に取り付けられる際に、他方の大きさのリアクター側に突出するものであり、リアクター５０が取り付けられた状態では突出していない。他方の大きさのリアクター側に突出した左側位置決め部６２Ａ２と第２右側位置決め部６２Ｂ２とは、他方の大きさのリアクターの左右の位置決めを行う。なお、この実施の形態では、左側位置決め部６２Ａ２を共通化して、リアクター５０および他方の大きさのリアクターの位置決めを行う例についての説明を行ったが、第１右側位置決め部６２Ｂ１を共通化してもよい。この場合には、第２右側位置決め部６２Ｂ２に代えて、他方の大きさのリアクターの台座部の左側の位置決めを行う第２左側位置決め部が形成されればよい。また、他方の大きさのリアクターの右側の位置決めを行う第２右側位置決め部６２Ｂ２と、他方の大きさのリアクターの台座部の左側の位置決めを行う第２左側位置決め部とを有するように構成されていてもよい。
【００２０】
複数のネジ穴６４は、リアクター５０をリアクター取付部材６０にネジ止めするために利用されるものである。複数のネジ穴６４は、例えば、リアクター５０の重力方向の上側をネジ止めするための第１ネジ止め部６４Ａと、リアクター５０とは異なる大きさの他方の大きさのリアクターの重力方向の上側をネジ止めするための第２ネジ止め部６４Ｂと、を含んでいる。
【００２１】
上記のように、支持部６２Ａ１と左側位置決め部６２Ａ２と第１右側位置決め部６２Ｂ１と第１ネジ止め部６４Ａとは、リアクター５０が取り付けられる本発明の「第１取付部」に相当し、支持部６２Ａ１と左側位置決め部６２Ａ２と第２右側位置決め部６２Ｂ２と第２ネジ止め部６４Ｂとは、リアクター５０とは異なる大きさの他方の大きさのリアクターが取り付けられる本発明の「第２取付部」に相当している。
【００２２】
図３および図５に示すように、セパレータ２０には、リアクター５０を取り付けるための複数の穴２２が形成されている場合がある。複数の穴２２は、送風室３０に連通しているため、複数の穴２２から機械室４０に水が浸入するおそれがある。そこで、この実施の形態では、リアクター取付部材６０は、複数の穴２２を覆うようにして、セパレータ２０に取り付けられている。リアクター取付部材６０が複数の穴２２を覆っているため、機械室４０への水の浸入のおそれが抑制されている。さらに、リアクター取付部材６０は、複数の穴２２の重力方向の下側で、セパレータ２０側に突出する突出部６６を有しており、突出部６６が、複数の穴２２から進入して落下した水を受けるようになっている。
【００２３】
図６は、図２に記載のリアクターの熱源側ユニットへの取り付けについて説明する模式図である。なお、図６では、この実施の形態の理解を容易にするために、セパレータ２０とリアクター取付部材６０とリアクター５０とを抽出して図示している。図６において、下側が熱源側ユニット１００の前方であり、作業者は、図１の外郭パネル４が取り外された状態で、前方からリアクター５０の着脱作業を行う。作業者は、例えばリアクター５０を取り付ける際には、まず、セパレータ２０に固定されたリアクター取付部材６０にリアクター５０を仮設置する。すなわち、図４に示す左側位置決め部６２Ａ２と第１右側位置決め部６２Ｂ１とで、リアクター５０の左右の位置決めを行いながら、支持部６２Ａ１にリアクター５０を載置する。そして、電動ドライバー等の工具３００を用いて、リアクター取付部材６０にリアクター５０を取り付ける。
【００２４】
図６に示すように、この実施の形態に係るリアクター取付部材６０は、リアクター５０またはリアクター５０とは異なる大きさの他方の大きさのリアクター（図示を省略）が取り付けられる取付面６０Ａが、前方を向くように傾斜している。このため、この実施の形態によれば、作業者は、取付面６０Ａを目視確認しながら、リアクター取付部材６０にリアクター５０を仮設置することができる。その結果、この実施の形態では、作業者は、仮設置作業を確実且つ容易に行うことができる。さらに、この実施の形態では、リアクター取付部材６０に仮設置されたリアクター５０が、前方を向いて傾斜しているため、工具３００を利用した取り付け作業の作業性が向上している。
【００２５】
上記のように、この実施の形態では、セパレータ２０にリアクター取付部材６０が固定されており、リアクター取付部材６０は、リアクター５０およびリアクター５０とは異なる大きさの他方の大きさのリアクターのうちの一方を、選択的に取り付けることができるように構成されている。このため、この実施の形態によれば、セパレータ２０の共通化を実現することができる。さらに、リアクター取付部材６０は、異なる大きさのリアクターを選択的に取り付けることができるように構成されているため、リアクターの選定の自由度が向上している。
【００２６】
また、この実施の形態では、リアクターが取り付けられるリアクター取付部材６０の取付面６０Ａが、前方を向くように傾斜している。その結果、この実施の形態によれば、作業者は、リアクター取付部材６０にリアクター５０を容易且つ確実に取り付けることができる。さらに、リアクターのリアクター取付部材６０からの取り外しも容易であるため、熱源側ユニット１００の保守およびメンテナンス等が容易になっている。
【００２７】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００２８】
例えば、上記の説明では、２種類の大きさのリアクターのうちの一方を選択的に取り付けることができる構成のリアクター取付部材６０に関する説明を行ったが、リアクター取付部材は、３種類の大きさのリアクターのうちの何れか１つを選択的に取り付けることができるように構成されていてもよい。この場合には、例えば、第３の大きさのリアクターの右側の位置決めを行う第３右側位置決め部と、第３の大きさのリアクターの重力方向の上側をネジ止めするための第３ネジ止め部とが、リアクター取付部材に形成されていればよい。このときに、例えば、第２右側位置決め部６２Ｂ２が、突出位置を変更することができるように構成されている場合には、第３右側位置決め部は省略することができる。
【００２９】
また、例えば、上記の説明では、熱源側ユニット１００が１つのリアクター５０を備えた例についての説明を行ったが、熱源側ユニットは、２つ以上のリアクターを備えるものであってもよい。この場合には、例えば、熱源側ユニットが、２つ以上のリアクター取付部材を備えており、または、リアクター取付部材が、２つ以上のリアクターが取り付けられるように構成されていればよい。
【符号の説明】
【００３０】
２  ベース部材、４  外郭パネル、６  天面パネル、８  側面パネル、１０  熱交換器、１２  送風ユニット、１２Ａ  ファン、１２Ｂ  モータ、１２Ｃ  モータ支持部材、１４  圧縮機、１６  電気品箱、１８  冷媒配管、２０  セパレータ、２２  穴、３０  送風室、４０  機械室、５０  リアクター、５２  台座部、５４  コイル部、５６  貫通孔、５８  接続端子、６０  リアクター取付部材、６０Ａ  取付面、６２Ａ１  支持部、６２Ａ２  左側位置決め部、６２Ｂ１  第１右側位置決め部、６２Ｂ２  第２右側位置決め部、６４  ネジ穴、６４Ａ  第１ネジ止め部、６４Ｂ  第２ネジ止め部、６６  突出部、６８  貫通孔、１００  熱源側ユニット、３００  工具。
【図１】
0006333108.tif 000002
【図２】
0006333108.tif 000003
【図３】
0006333108.tif 000004
【図４】
0006333108.tif 000005
【図５】
0006333108.tif 000006
【図６】
0006333108.tif 000007